(57)【要約】      （修正有）【課題】セパレートタイプで、着用者のウエストの体形補正を行って外観が良好となり、運動してもトップが捲り上がることを防ぎ、安定して着用することができる運動用被服を提供する。【解決手段】下半身に着用され着用者のウエスト上部に上端部２２が達するパンツ部１２と、パンツ部１２の上端部２２の後側に連続して設けられ背中を覆い肩に達する後身頃２４を備える。後身頃２４の肩と脇に連続し胸と腹部を覆う前身頃２６と、前身頃２６に開閉自在に設けられたファスナ２８を有する。前身頃２６の下端部２６ａは、着用者のウエストよりも下に達して、パンツ部１２の上端部２２を覆っている。パンツ部１２の後パンツ１６の上端部は、後見頃２４の下端部に連続して、前パンツ１４の上端部２２よりも下方に位置している。【選択図】図１
0003143180.tif 000002
【実用新案登録請求の範囲】
【請求項１】
下半身に着用され着用者のウエスト上部に上端部が達するパンツ部と、前記パンツ部の上端部の後側に連続して設けられ背中を覆い肩に達する後身頃と、前記後身頃の肩と脇に連続し胸と腹部を覆う前身頃と、前記前身頃に開閉自在に設けられたファスナが設けられ、前記前身頃の下端部は着用者のウエストよりも下に達して、前記パンツ部の上端部を覆っていることを特徴とする運動用被服。
【請求項２】
前記パンツ部の上端部は、前パンツと後パンツで位置が異なり、前記後パンツの上端部は前記後見頃の下端部に連続して、前記前パンツの上端部よりも下方に位置して設けられていることを特徴とする請求項１記載の運動用被服。
【請求項３】
前記前身頃の脇部は、前記後見頃の脇部と一体に設けられているとともに、前記パンツ部の前パンツの脇部と一体に設けられていることを特徴とする請求項２記載の運動用被服。
【請求項４】
前記ファスナは前記前身頃の身体中央に縦方向に位置し上下に貫通して設けられていることを特徴とする請求項１記載の運動用被服。
【考案の詳細な説明】
【技術分野】
【０００１】
この考案は、各種の運動競技やそれに準じる運動等をするために着用される運動用被服に関する。
【背景技術】
【０００２】
従来、運動用被服には身体に密着して着用されるものがあり、例えばアクアビクス用の水着がある。アクアビクス用の水着には、上半身に着用する上衣であるトップと下半身に着用する下衣であるボトムからなるセパレートタイプがある。このようなセパレートタイプは、例えば図４に示すようにトップ１の下端部４がボトム２の上端部３を覆っているものがある。しかし、激しい運動をするとトップ１の下端部４が捲り上がり、上端部３との間から肌が露出することがあった。
【０００３】
この問題を解決するため、従来いろいろな工夫がされている。例えば、特許文献１に開示されているセパレーツ型伸縮性運動着は、上衣の表地の内側に、着用者の腰部周辺に配置される帯状のインナー部が設けられている。インナー部は、下衣のウエスト部分の内側に収納可能な構造となっている。そして、着用時はインナー部を下衣のウエスト部分が覆い、さらに下衣のウエスト部分を上衣のウエスト部分が覆うものであり、これにより上衣の下端部の捲れ上がりを防ぎ、腹部が露出しにくくなり、冷え、不快を解消することができる。
【０００４】
また、特許文献２に開示されているセパレート水着は、トップ内側の左右身頃と、ボトム外側の左右身頃に、互いに着脱するスナップ釦が設けられている。これにより、スナップ釦でトップとボトムの一体保持が可能となり、トップの捲くれ上がりを防止することができる。
【特許文献１】特開２００４−３０８０８９号公報
【特許文献２】特開２００６−８９９０１号公報
【考案の開示】
【考案が解決しようとする課題】
【０００５】
上記各特許文献の場合、トップの捲り上がりは防止するが、着用者の体形を補正して着用した外観を良好に見せる機能はなかった。またセパレートタイプの水着は、図４に示すように、ボトム２の上端部３が、身体の柔らかい部分であり脂肪がつきやすいウエストで係止されるため、ウエストに食い込んで着用者のウエストに段差が生じ、その段差がトップ１の表面に表れて外見が良くない場合があった。また、ボトム２に体形補正用の張力の強いパワーネットを設けても、かえってウエストの段差が大きくなってしまうという問題があり、効果的な解決方法がなかった。
【０００６】
この考案は、上記従来の技術の問題点に鑑みてなされたものであり、セパレートタイプで、着用者のウエストの体形補正を行って外観が良好となり、運動してもトップが捲り上がることを防ぎ安定して着用することができる運動用被服を提供することを目的とする。
【課題を解決するための手段】
【０００７】
本考案は、下半身に着用され着用者のウエスト上部に上端部が達するパンツ部と、前記パンツ部の上端部の後側に連続して設けられ背中を覆い肩に達する後身頃と、前記後身頃の肩と脇に連続し胸と腹部を覆う前身頃と、前記前身頃に開閉自在に設けられたファスナが設けられ、前記前身頃の下端部は着用者のウエストよりも下に達して、前記パンツ部の上端部を覆っている運動用被服である。
【０００８】
前記パンツ部の上端部は、前パンツと後パンツで位置が異なり、前記後パンツの上端部は前記後見頃の下端部に連続して、前記前パンツの上端部よりも下方に位置して設けられている。
【０００９】
前記前身頃の脇部は、前記後見頃の脇部と一体に設けられているとともに、前記パンツ部の前パンツの脇部と一体に設けられている。さらに、前記ファスナは前記前身頃の身体中央に縦方向に位置し上下に貫通して設けられているものである。
【考案の効果】
【００１０】
本考案の運動用被服は、セパレートタイプのような外観であり、着用者のウエストの体形補正を行い、体形を良好にすることができる。また、激しい運動をしてもトップが捲り上がることを防ぎ、安定して着用することができる。
【考案を実施するための最良の形態】
【００１１】
以下、この考案の実施形態について図面に基づいて説明する。図１〜図３はこの考案の一実施形態を示すもので、この実施形態の運動用被服は、水泳やアクアビクス等を行う水着１０であり、伸縮性を有する生地で作られ、身体に密着して着用される。
【００１２】
水着１０には、下半身に着用されるパンツ部１２と、上着部２０が設けられている。パンツ部１２は、着用者の身体前側を覆う前パンツ１４と、身体後側を覆う後パンツ１６が設けられ、脇部１８と股下部１９で互いに縫い合わされている。前パンツ１４と後パンツ１６は、それぞれ身体の中心と両足の中心で分割される４個のパーツを縫い合わせて立体的に設けられても良い。また、前パンツ１４と後パンツ１６の裏面に、体形補正用のパワーネットが重ねて取り付けられている。前パンツ１４の上端部２２は、着用者のウエスト中央よりも高い位置で、胸部の下方に位置したウエスト上部にほぼ水平に設けられている。例えば、着用者のウエストの一番細い部分付近の約６ｃｍ上方に設けられている。上端部２２には、平ゴム紐等を挿通して身体に密着するようにしても良い。後パンツ１６の上端部１６ａは、前パンツ１４の上端部２２よりも低い位置に設けられ、着用者のウエストの一番細い部分かまたはその少し下方に、ほぼ水平に設けられている。
【００１３】
上着部２０には、後パンツ１６の上端部１６ａに連続して、背中を覆って肩に達する後身頃２４が設けられている。後身頃２４は、後パンツ１６の上端部１６ａと同じ長さに形成された下端部２４ａと、下端部２４ａの両端部からほぼ直角に上方に延出する脇部２４ｂと、両肩に達する一対の肩部２４ｃが形成されている。そして、後身頃２４の下端部２４ａは、後パンツ１６の上端部１６ａと縫い合わされて一体に形成されている。脇部２４ｂの下側の部分は、前パンツ１４の脇部１８の、後パンツ１６の上方の脇部１８部分に縫い合わされている。
【００１４】
後身頃２４の肩部２４ｃと脇部２４ｂには、前身頃２６が連続して設けられている。前身頃２６は、前パンツ１４の上端部２２より下方で下腹部付近に達する下端部２６ａと、下端部２６ａの両端部からほぼ直角に上方に延出する脇部２６ｂと、両肩に達する一対の肩部２６ｃが形成されている。前身頃２６の脇部２６ｂは後身頃２４の脇部２４ｂに縫い合わせられ、前身頃２６の肩部２６ｃは後身頃２４の肩部２４ｃに縫い合わされている。前身頃２６の脇部２６ｂの、前パンツ１４の上端部２２より下方の部分は、後身頃２４の脇部２４ｂと、前パンツ１４の脇部１８の生地に挟さまれ縫い合わされている。前身頃２６の身体前側中心には、着脱用のファスナ２８が設けられている。ファスナ２８は前身頃２６の身体中央に縦方向に位置し上下に貫通して設けられている。
【００１５】
なお、前パンツ１４の上端部２２の両端部に、後見頃２４の内側で身体後側へ巻き回すインナーベルトが連続して設けられてもよい。例えばインナーベルトは伸縮性を有する平ゴム紐で作られ、ほぼ水平に、後身頃２４の内側面に沿って設けられている。後身頃２４に裏地が設けられている場合は、裏地の内側に挿通しても良い。また、前身頃２６の胸部分の裏面に袋部材が取り付けられこの袋部材にバストを覆う形状に成形されたカップ部材が差し込まれるようにしてもよい。
【００１６】
この実施形態の水着１０によれば、パンツ部１２と上着部２０が一体に設けられ、前身頃２６のファスナ２８により、着脱が容易であり、上着部２０の下端部２４ａ，２６ａの捲り上がりを防いで快適に着用することができる。また、体形補正用のパワーネットが重ねて取り付けられた前パンツ１４の上端部２２が、着用者のウエスト中央よりも高い位置で、胸部の下方に位置しているので、着用者の体形を補正して外観が良好なものである。さらに、後パンツ１６と後身頃２４が連続して一体となっているため、激しい運動を行ってもウエスト部分の肌が露出することが無く、安心して着用することができる。後パンツ１６と後身頃２４が連続しているため、着用時の背中のラインもすっきりしたものとなる。
【００１７】
また、パンツ部１２の上端部２２が、着用者のウエスト中央よりも上に設けられているため、身体の柔らかい部分であるウエストに、上端部２２が食い込んで身体に段ができることを防ぎ、すっきりとした外観になる。上端部２２がウエスト中央より高い位置にあり、腹部を前パンツ１４でカバーしさらに前パンツ１４の表面に前身頃２６が重ねられて緊締されるため、腹部のたるみを引き締めてくびれを作り、体形補正することができる。前パンツ１４と後パンツ１６の裏面にはパワーネットが取付けられ、確実にウエスト部分を締め付けるが、さらに前身頃２６を重ねることでより高い体形補正効果を得ることができる。前パンツ１４の表面に前身頃２６が重ねられているため、上端部２２が高い位置にあることが外部から把握されず、外観に違和感がない。
【００１８】
また、セパレーツ形の水着のように前身頃２６がファスナ２８で開閉するため着脱が容易でありながら、ワンピース形の水着のように捲り上がりのストレスが無いという、両タイプの長所を兼ね合わせることができる。下半身を覆うパンツ部１２と、上半身を覆う前身頃２６と後身頃２４が一体であるため、パンツ部１２をはいた後に後身頃２４を肩にかけるとパンツ部１２が引き上げられてワンピース形の水着のように簡単に着用することができ、また一体であることから保管や管理も容易である
なお、この考案の運動用被服は、上記実施形態に限定されるものではなく、水着以外に種々の運動用被服に応用することができる。各部材の形状は適宜変更可能であり、袖が付いたものや、パンツ部の裾が長いものなどでもよい。
【図面の簡単な説明】
【００１９】
【図１】この考案の一実施形態の水着の前側の斜視図である。
【図２】この実施形態の水着の後側の斜視図である。
【図３】この実施形態の水着の使用状態を示す正面図である。
【図４】従来の技術の水着の使用状態を示す正面図である。
【符号の説明】
【００２０】
１０  水着
１２  パンツ部
１４  前パンツ
１６  後パンツ
１８  脇部
２０  上着部 
２２  上端部
２４  後身頃
２４ａ，２６ａ  下端部
２６  前身頃
２８  ファスナ
【図１】
0003143180.tif 000003
【図２】
0003143180.tif 000004
【図３】
0003143180.tif 000005
【図４】
0003143180.tif 000006